【手続補正書】
【提出日】平成16年4月6日(2004.4.6)
【手続補正１】
【補正対象書類名】明細書
【補正対象項目名】特許請求の範囲
【補正方法】変更
【補正の内容】
【特許請求の範囲】
【請求項１】
用紙上に画像の形成を行う機構と、画像の形成に関する制御を行うコントローラとを備えた記録装置であって、
前記画像の形成を行う機構は、前記用紙の供給および排出を行う機構を有し、
前記コントローラは、
前記画像の記録に用いる用紙の種類を示す情報を取得する手段と、
前記画像の記録に用いる用紙について、前記取得した用紙の種類を示す情報に基づいて、前記用紙の種類ごとに、同一種類の用紙を連続して使用した場合の使用量を示す連続枚数と、用紙の種類ごとに、使用した累計枚数とを求める使用量の累計を求める手段と、
用紙の種類ごとに、同一種類の用紙を連続して使用した場合の使用量を示す連続の設定枚数と、用紙の種類ごとに、使用した累計の設定枚数とを前記メンテナンスの開始条件として記憶する手段と、
前記連続枚数が前記連続の設定枚数を超えること、および、前記累計枚数が前記累計の設定枚数を超えることのいずれかが生じたとき、メンテナンス開始条件が満たされたと判定するメンテナンス開始条件を満たすかを判定する手段と、
前記メンテナンス開始条件を満たすと判定したとき、メンテナンス処理を行う手段とを有すること
を特徴とする記録装置。
【請求項２】
請求項１に記載の記録装置において、
前記コントローラは、当該記録装置の状態を表示する表示部をさらに備え、
前記メンテナンス処理を行う手段は、当該記録装置がメンテナンスを必要としている旨を前記表示部に表示させることを特徴とする記録装置。
【請求項３】
請求項２に記載の記録装置において、
前記メンテナンス処理を行う手段は、当該記録装置がメンテナンスを必要としている旨の表示として、前記記録媒体の供給および排出を行う機構に対してクリーニングシートの供給および排紙を行わせることを促すメッセージを前記表示部に表示させることを特徴とする記録装置。
【請求項４】
請求項２に記載の記録装置において、
前記コントローラは、当該記録装置に対する操作を受け付ける操作部をさらに備え、
前記画像の形成を行う機構は、指示を受けて当該機構の一部についてメンテナンスを実行する機構を有し、
前記メンテナンス処理を行う手段は、前記操作部からの指示を受けると、前記メンテナンス処理として前記メンテナンスを実行する機構にメンテナンスを実行するよう指示することを特徴とする記録装置。
【請求項５】
用紙上に画像の形成を行う機構と、画像の形成に関する制御を行うコントローラとを備えた記録装置であって、
前記画像の形成を行う機構は、
前記用紙の供給および排出を行う機構と、
指示を受けて、前記用紙の供給および排出を行う機構についてのクリーニングを行う用紙系メンテナンス機構と、を有し、
前記コントローラは、
画像の記録に用いる用紙の種類を示す情報を取得する手段と、
画像の記録に用いる用紙について、前記取得した種類を示す情報に基づいて、用紙の種類ごとに使用量の累計を求める手段と、
用紙の種類ごとに使用した累計の設定枚数をメンテナンスの開始条件として記憶する手段と、
前記使用量の累計がメンテナンス開始条件を満たすかを判定する手段と、
前記メンテナンス開始条件を満たすと判定したとき、前記用紙系メンテナンス機構にメンテナンスを実行するよう指示するメンテナンス処理を行う手段とを有すること
を特徴とする記録装置。
【請求項６】
用紙上に画像の形成を行う機構と、画像の形成に関する制御を行うコントローラとを備えた記録装置であって、
前記画像の形成を行う機構は、
前記用紙の供給および排出を行う機構と、
指示を受けて、前記用紙の供給および排出を行う機構についてのクリーニングを行う用紙系メンテナンス機構と、を有し、
前記コントローラは、
当該記録装置の状態を表示する表示部、および、当該記録装置に対する操作を受け付ける操作部を有し、かつ、
画像の記録に用いる用紙の種類を示す情報を取得する手段と、
画像の記録に用いる用紙について、前記取得した種類を示す情報に基づいて、用紙の種類ごとに使用量の累計を求める手段と、
用紙の種類ごとに使用した累計の設定枚数をメンテナンスの開始条件として記憶する手段と、
前記使用量の累計がメンテナンス開始条件を満たすかを判定する手段と、
を備え、
前記メンテナンス開始条件を満たすと判定したとき、該記録装置がメンテナンスを必要としている旨を前記表示部に表示させ、前記操作部からの指示を受けると、前記用紙系メンテナンス機構にメンテナンスを実行するよう指示すること
を特徴とする記録装置。
【請求項７】
用紙上に画像の形成を行う機構と、画像の形成に関する制御を行うコントローラとを備えた記録装置であって、
前記画像の形成を行う機構は、
インクを吐出する印刷ヘッドと、
指示を受けて、前記印刷ヘッドのクリーニングを行うインク系メンテナンス機構を有し、
前記コントローラは、
画像の記録に用いる用紙の種類を示す情報を取得する手段と、
画像の記録に用いる用紙について、前記取得した種類を示す情報に基づいて、用紙の種類ごとに使用量の累計を求める手段と、
用紙の種類ごとに使用した累計の設定枚数をメンテナンスの開始条件として記憶する手段と、
前記使用量の累計がメンテナンス開始条件を満たすかを判定する手段と、
前記メンテナンス開始条件を満たすと判定したとき、前記インク系メンテナンス機構にメンテナンスを実行するよう指示すること
を特徴とする記録装置。
【請求項８】
用紙上に画像の形成を行う機構と、画像の形成に関する制御を行うコントローラとを備えた記録装置であって、
前記画像の形成を行う機構は、
前記用紙の供給および排出を行う機構と、
インクを吐出する印刷ヘッドと、
指示を受けて、前記用紙の供給および排出を行う機構についてのクリーニングを行う用紙系メンテナンス機構と、
指示を受けて、前記印刷ヘッドのクリーニングを行うインク系メンテナンス機構と、を有し、
前記コントローラは、
画像の記録に用いる用紙の種類を示す情報を取得する手段と、
画像の記録に用いる用紙について、前記取得した種類を示す情報に基づいて、用紙の種類ごとに使用量の累計を求める手段と、
用紙の種類ごとに使用した累計の設定枚数をメンテナンスの開始条件として記憶する手段と、
前記使用量の累計がメンテナンス開始条件を満たすかを判定する手段と、
前記メンテナンス開始条件を満たすと判定したとき、インク系メンテナンス機構および／または前記用紙系メンテナンス機構に対してメンテナンスを実行するよう指示するメンテナンス処理を行う手段とを有すること
を特徴とする記録装置。
【請求項９】
請求項５、６、７および８のいずれか一項に記載の記録装置において、
前記使用量の累計を求める手段は、前記取得した用紙の種類を示す情報に基づいて、前記用紙の種類ごとに、同一種類の用紙を連続して使用した場合の使用量を示す連続枚数と、用紙の種類ごとに、使用した累計枚数とを求め、
前記記憶する手段は、用紙の種類ごとに、同一種類の用紙を連続して使用した場合の使用量を示す連続の設定枚数と、用紙の種類ごとに、使用した累計の設定枚数とを前記メンテナンスの開始条件として記憶し、
前記メンテナンス開始条件を満たすかを判定する手段は、前記連続枚数が前記連続の設定枚数を超えること、および、前記累計枚数が前記累計の設定枚数を超えることのいずれかが生じたとき、メンテナンス開始条件が満たされたと判定すること
を特徴とする記録装置。
【請求項１０】
請求項１、２、３、４および９のいずれか一項に記載の記録装置において、
前記記憶手段に記憶される連続枚数について、使用する用紙の種類が変更された時にリセットし、前記記憶手段に記憶される連続枚数および累計枚数について、メンテナンスが行われるとリセットする手段をさらに備えることを特徴とする機記録装置。
【請求項１１】
請求項１から８のいずれか一項に記載の記録装置において、
前記画像の記録に用いる用紙の種類を示す情報を取得する手段は、用紙を梱包する梱包材に付された用紙情報記録部から用紙情報を読み出す手段を有することを特徴とする記録装置。
【請求項１２】
請求項１から８のいずれか一項に記載の記録装置において、
前記画像の記録に用いる用紙の種類を示す情報を取得する手段は、用紙を梱包する梱包材に付されたデータキャリアから用紙情報を読み出す手段を有することを特徴とする記録装置。
【請求項１３】
用紙上に画像の形成を行う記録装置において画像の形成に関する制御を行うコントローラであって、
前記画像の記録に用いる用紙の種類を示す情報を取得する手段と、
前記画像の記録に用いる用紙について、前記取得した用紙の種類を示す情報に基づいて、前記用紙の種類ごとに、同一種類の用紙を連続して使用した場合の使用量を示す連続枚数と、用紙の種類ごとに、使用した累計枚数とを求める使用量の累計を求める手段と、
用紙の種類ごとに、同一種類の用紙を連続して使用した場合の使用量を示す連続の設定枚数と、用紙の種類ごとに、使用した累計の設定枚数とを前記メンテナンスの開始条件として記憶する手段と、
前記連続枚数が前記連続の設定枚数を超えること、および、前記累計枚数が前記累計の設定枚数を超えることのいずれかが生じたとき、メンテナンス開始条件が満たされたと判定するメンテナンス開始条件を満たすかを判定する手段と、
前記メンテナンス開始条件を満たすと判定したとき、メンテナンス処理を行う手段とを有すること
を特徴とするコントローラ。
【請求項１４】
請求項１３に記載のコントローラにおいて、
当該記録装置の状態を表示すると共に、操作を受け付ける表示部をさらに備え、
前記メンテナンス処理を行う手段は、当該記録装置がメンテナンスを必要としている旨を前記表示部に表示させることを特徴とするコントローラ。
【請求項１５】
請求項１３および１４のいずれか一項に記載のコントローラにおいて、
前記記憶手段に記憶される連続枚数について、使用する用紙の種類が変更された時にリセットし、前記記憶手段に記憶される連続枚数および累計枚数について、メンテナンスが行われるとリセットする手段をさらに備えることを特徴とするコントローラ。
【請求項１６】
請求項１３、１４および１５のいずれか一項に記載のコントローラにおいて、
画像の記録に用いる用紙の種類を示す情報を取得する手段は、用紙を梱包する梱包材に付された用紙情報記録部から用紙情報を読み出す手段を有することを特徴とするコントローラ。
【請求項１７】
請求項１３、１４および１５のいずれか一項に記載のコントローラにおいて、
画像の記録に用いる用紙の種類を示す情報を取得する手段は、用紙を梱包する梱包材に付されたデータキャリアから用紙情報を読み出す手段を有することを特徴とするコントローラ。
【手続補正２】
【補正対象書類名】明細書
【補正対象項目名】００１３
【補正方法】変更
【補正の内容】
【００１３】
本発明の第１の態様によれば、
用紙上に画像の形成を行う機構と、画像の形成に関する制御を行うコントローラとを備えた記録装置であって、
前記画像の形成を行う機構は、前記用紙の供給および排出を行う機構を有し、
前記コントローラは、
前記画像の記録に用いる用紙の種類を示す情報を取得する手段と、
前記画像の記録に用いる用紙について、前記取得した用紙の種類を示す情報に基づいて、前記用紙の種類ごとに、同一種類の用紙を連続して使用した場合の使用量を示す連続枚数と、用紙の種類ごとに、使用した累計枚数とを求める使用量の累計を求める手段と、
用紙の種類ごとに、同一種類の用紙を連続して使用した場合の使用量を示す連続の設定枚数と、用紙の種類ごとに、使用した累計の設定枚数とを前記メンテナンスの開始条件として記憶する手段と、
前記連続枚数が前記連続の設定枚数を超えること、および、前記累計枚数が前記累計の設定枚数を超えることのいずれかが生じたとき、メンテナンス開始条件が満たされたと判定するメンテナンス開始条件を満たすかを判定する手段と、
前記メンテナンス開始条件を満たすと判定したとき、メンテナンス処理を行う手段とを有することを特徴とする記録装置が提供される。


【手続補正３】
【補正対象書類名】明細書
【補正対象項目名】００１４
【補正方法】変更
【補正の内容】
【００１４】
また、本発明の第２の態様によれば、
用紙上に画像の形成を行う記録装置において画像の形成に関する制御を行うコントローラであって、
前記画像の記録に用いる用紙の種類を示す情報を取得する手段と、
前記画像の記録に用いる用紙について、前記取得した用紙の種類を示す情報に基づいて、前記用紙の種類ごとに、同一種類の用紙を連続して使用した場合の使用量を示す連続枚数と、用紙の種類ごとに、使用した累計枚数とを求める使用量の累計を求める手段と、
用紙の種類ごとに、同一種類の用紙を連続して使用した場合の使用量を示す連続の設定枚数と、用紙の種類ごとに、使用した累計の設定枚数とを前記メンテナンスの開始条件として記憶する手段と、
前記連続枚数が前記連続の設定枚数を超えること、および、前記累計枚数が前記累計の設定枚数を超えることのいずれかが生じたとき、メンテナンス開始条件が満たされたと判定するメンテナンス開始条件を満たすかを判定する手段と、
前記メンテナンス開始条件を満たすと判定したとき、メンテナンス処理を行う手段とを有することを特徴とするコントローラが提供される。